(57)【要約】  【課題】    従来の一体成型タイプのフィルタフレームを代替し、フィルタ材の交換時にフィルタフレームごと交換する必要がなく、従来のフィルタフレームの交換時の不便さを省くことができ、フィルタ材の交換手順をより簡便化し、コスト節約、環境保護、経済性を兼ね備えたフィルタフレームの提供。 【解決手段】    フィルタフレーム上に少なくとも１つの気孔を設け、該気孔は凹型の開口部であり、該フィルタ材を該気孔に穿通し、該凹型の開口部に該フィルタ材の開口部を嵌置し、且つ、該凹型の開口部内側周縁底部にさらに少なくとも１つの突出部を設け、該突出部により該フィルタ材の開口部に設置した枠体を支持し、且つ、該フィルタ材の開口部を挟持して固定することを特徴とする。  【選択図】    図３ 
0003112494.tif 000002
【実用新案登録請求の範囲】
【請求項１】
空調システム内に設置し、フィルタ材を連結して空気の濾過を行うためのフィルタフレームであって、該フィルタフレーム上に少なくとも１つの気孔を設け、該気孔は凹型の開口部であり、該フィルタ材を該気孔に穿通し、該凹型の開口部に該フィルタ材の開口部を嵌置し、且つ、該凹型の開口部内側周縁底部にさらに少なくとも１つの突出部を設け、該突出部により該フィルタ材の開口部に設置した枠体を支持し、且つ、該フィルタ材の開口部を挟持して固定することを特徴とするフィルタフレーム。
【請求項２】
前記フィルタフレームが防錆機能を備えた金属材質から成る請求項１に記載のフィルタフレーム。
【請求項３】
前記気孔の形状が円形である請求項１に記載のフィルタフレーム。
【請求項４】
前記気孔の形状が幾何図形である請求項１に記載のフィルタフレーム。
【請求項５】
前記幾何図形が正方形である請求項４に記載のフィルタフレーム。
【請求項６】
前記幾何図形が三角形である請求項４に記載のフィルタフレーム。
【請求項７】
前記幾何図形が多辺形である請求項４に記載のフィルタフレーム。
【請求項８】
記フィルタ材がバッグ型フィルタである請求項１に記載のフィルタフレーム。
【考案の詳細な説明】
【技術分野】
【０００１】
本考案はフィルタフレームに関し、詳細には、空調システム設備に応用するフィルタフレームに関する。
【背景技術】
【０００２】
一般的に、クリーンルームや中央空調機械室、ビルの地下室、地下鉄システム等の室内空間は、すべて空気濾過システムを配置する必要性があり、従来技術によれば、空気濾過設備は一般的に建築物の天井裏の空間に設置され、その開口面が空調目標物前端に向かい、設置やメンテナンス、交換、取り外し等の作業に便利なようになっており、定期的メンテナンス作業においてフィルタ材の交換は特に見落とすことのできない作業である。
【０００３】
空調濾過システムは密閉空間内の作業人員、保管物または機具・器材のメンテナンス効率において非常に重要であるため、過去には多くの従来技術による空調フィルタ設備に対する改良が実施されてきた。例えば、中華民国特許出願公開５２９７０２号の空調フィルタ設備は、主に支持板によりフィルタフレームとケースを相互に嵌合して固定し、装着と取り外しを簡単にするものである。また、中華民国特許出願公開５０６５１８号の埋め込み型空調システムのフィルタ設置組み立て構造は、空気濾過設備を複数の部品により結合させる方式で、同様に取り外しと組み込みに便利であるという利点があり、同時にフィルタと空調システム間の構造における振動と騒音を減少するものである。さらに、中華民国特許出願公開３６７０１６号の空調用空気フィルタ固定構造は、主に波形のフィルタ両端に予め接合挿入槽をそれぞれ設け、さらにフィルタの接合面に接合したフレームをその辺縁部に粘着固定し、構造上の高強度を強調するものである。
【０００４】
しかしながら、上述の各技術は、それぞれ改善が必要な欠点がある。例えば、中華民国特許出願公開５２９７０２号の空調フィルタ設備は、そのフィルタフレームとケース上面に予め孔を開設しておく必要があり、その後さらにネジで固定するものであるが、ネジによる固定後も若干の間隙が残り、同時に錆が生じやすいという問題がある。また、中華民国特許出願公開５０６５１８号の埋め込み型空調システムのフィルタ設置組み立て構造は、その上下枠が外力を受け変形や破損を生じやすく、且つ、採用しているフィルタも一枚構造であるため、空気の濾過効率が悪い。また、特許出願公開３６７０１６号の空調用空気フィルタ固定構造は、主に一辺につき一本のフレームを粘着固定するため、製造工程上複雑である。
【特許文献１】中華民国特許出願公開５２９７０２号
【特許文献２】中華民国特許出願公開５０６５１８号
【特許文献３】中華民国特許出願公開３６７０１６号
【０００５】
このため、一般的にフィルタフレームにはまだ以下のように多くの欠点がある。
１．施工人員による設置に不便である。
２．フィルタバッグを長期使用し交換する際取り外しにくい。
３．鉄フレームは取り外し後の回収コストが高い。
４．空気濾過設備全体をリサイクル使用できず、環境保護の理念に反する。
【考案の開示】
【考案が解決しようとする課題】
【０００６】
業界では継続的に多くの関連改良品が出現しているが、依然として全面的に従来の欠点をすべて兼顧し改善したものはない。前述の問題を改善するため、本考案の目的は、従来の欠点に対し更なる改良を加え、モジュール化の概念を備えた構造で、フィルタフレームが独立した形態であり、フィルタフレーム後方にフィルタ材を接続し空気中の粉塵や異物を濾過することができ、従来の一体成型タイプのフィルタフレームを代替することができると共に、フィルタ材の交換時にフィルタフレームごと交換する必要がなく、従来のフィルタフレームの交換時の不便さを省くことができ、フィルタ材の交換手順をより簡便化し、コスト節約、環境保護、経済性を兼ね備えたフィルタフレームを提供することにある。
【課題を解決するための手段】
【０００７】
本考案のフィルタフレームは、フィルタフレーム上に少なくとも１つの気孔を設け、該気孔は凹型の開口部であり該フィルタ材を該気孔に穿通し、該凹型の開口部に該フィルタ材の開口部を嵌置し、且つ、該凹型の開口部内側周縁底部にさらに少なくとも１つの突出部を設け、該突出部により該フィルタ材の開口部に設置した枠体を支持し、且つ、該フィルタ材の開口部を挟持して固定することを特徴とする。
【考案の効果】
【０００８】
以下に本考案のフィルタフレームの利点をまとめる。
１．主構造が分離式の組み立てモジュールであり、従来の鉄フレームの一体型モジュールを代替することができ、より経済的である。
２．モジュールの設置、フィルタ交換ともに便利である。
３．一体成型でフレームの強度を増すことができ、変形を生じにくい。
４．材質はリサイクルが可能な原料を選択して用いることができ、環境保護の理念に沿っている。
【考案を実施するための最良の形態】
【０００９】
本考案の詳細な内容及び技術について、以下で図面に基づき詳細に説明するが、本考案のフィルタフレームの構造について説明に入る前に、比較判定に有利なように、まず従来技術についてもう一度説明する。
【００１０】
図１に従来のフィルタフレームの立体斜視図を示す。従来の空調システムのバッグ型フィルタは、フレーム１０が金属製であり、使用環境を顧みてその耐久性を強化するため熱浸漬亜鉛めっき焼付塗装鋼材を使用して製作することができ、同時に、配合強化型固定金属片で複数の長方形の気孔１１を構成し、バッグ型フィルタ材２０をフレーム１０上に固定し、且つ、フィルタ材２０と金属フレーム１０の接合面を接着し、強固性を確保すると共に空気漏れを防止するものである。しかしながら、このような方法ではフィルタ材２０の交換時にフレーム１０も一緒に取り外し交換しなければならず、同時に、環境保護の要求に対応するため、取り外したフィルタ材２０と金属フレーム１０を２次処理で分離する必要がある。
【実施例１】
【００１１】
前述の欠点を改善するため、本考案はフィルタフレームの改良構造を提供するものであり、図２に本考案のフィルタフレームの立体斜視図を示す。本考案のフィルタフレームは、フレーム１０上に複数（１つ以上）の気孔１１を設置し、フレーム１０は防錆機能を備えた金属材や靭性を備えたプラスチック類、または木材混造材質とすることができ、一体成型の方式で製作することにより、従来の組み立て式金属フレームより強固且つ変形しにくくすることができる。
【００１２】
次に、図３に本考案のフィルタフレームとフィルタ材の立体分解図を示す。本考案のフレーム１０上に設けた気孔１１は、凹型の開口であり、フィルタ材２０は気孔１１の形状に合わせたバッグ型フィルタとし、バッグ型フィルタ材２０を気孔１１に通し、且つ、この凹型開口部にちょうどフィルタ材２０の開口部を組み込むことができる。図４の本考案のフィルタフレームの気孔部分の立体斜視図に示すように、この凹型開口部の内側周縁底部にさらに少なくとも１つの突出部１２を設け、この突出部１２によりバッグ型フィルタ材２０の開口部を支持する。
【００１３】
次に、本考案とフィルタ材の結合方法について詳細に説明する。図５に本考案のフィルタフレームとフィルタ材の側面断面図を示す。フィルタ材２０内に支持部２２と枠体２１を設置し、空調システムの動作時には気流がフレーム１０の気孔１１を経由しフィルタ材２０の中へ流入し、フィルタ材２０が空気中の各種雑物を濾過して取り除くが、この空気を濾過する過程において枠体２１と突出部１２を相互に連結することでフィルタ材２０を挟み込み、フィルタ材２０の開口部が気孔１１から抜け落ちるのを防ぐ。
【実施例２】
【００１４】
図６Aに、本考案のフィルタフレームの実施態様を示す。
【実施例３】
【００１５】
図６Bに、本考案のフィルタフレームの実施態様を示す。
【００１６】
本考案は同一の発明要旨の下、上述の円形の実施形態のほか、さらに正方形や多辺形、三角形等各種異なる幾何図形で実施することができ、従来のような固定的形式に捉われない。
【００１７】
最後に、本考案の特徴についてもう一度説明すると、本考案はフィルタフレームの改良構造を提供し、従来の一体型鉄フレームモジュールに取って代わることができ、主に、フレーム構造体上に予め１つ以上の任意の形状の気孔を設け、フィルタ材の設置や交換時に、円滑にこの気孔にフィルタ材を挿入し挟んで固定したり、抜き取ったりすることができる。
【００１８】
本考案は、従来の鉄フレーム設置の不便に取って代わり、フィルタ材の交換においても非常に便利であり、取り外しの困難や二次処理分解の問題もなく、鉄フレーム処理の問題も回避することができ、環境保護の理念に沿ってリサイクル利用や省エネ、ごみの減少を達成することができると共に、コストを低減することもできる。このため、本考案の交換と取り外しが簡単なフィルタフレームの構造改良は、高い産業的利用価値を備えた創作である。
【００１９】
本考案は前述のように最良の実施例を示したが、この説明は本考案を制限するものではなく、本考案の要旨の範囲内におけるあらゆる変更や修飾も、本考案の保護範囲に含まれるものとみなし、本考案は実用新案登録請求の範囲によってのみ制限される
。
【図面の簡単な説明】
【００２０】
【図１】従来のフィルタフレームの立体斜視図である。
【図２】本考案のフィルタフレームの立体斜視図である。
【図３】本考案のフィルタフレームとフィルタ材の立体分解図である。
【図４】本考案のフィルタフレームの気孔部分の立体斜視図である。
【図５】本考案のフィルタフレームとフィルタ材の側面断面図である。
【図６Ａ】本考案のフィルタフレームの実施例２を示す立体斜視図である。
【図６Ｂ】本考案のフィルタフレームの実施例３を示す立体斜視図である。
【符号の説明】
【００２１】
１０        フレーム
１１        気孔
１２        突出部
２０        フィルタ材
２１        枠体
２２        支持部
【図１】
0003112494.tif 000003
【図２】
0003112494.tif 000004
【図３】
0003112494.tif 000005
【図４】
0003112494.tif 000006
【図５】
0003112494.tif 000007
【図６Ａ】
0003112494.tif 000008
【図６Ｂ】
0003112494.tif 000009